(57)【要約】【課題】複数の制御装置のそれぞれに対して、組み合わされる眼鏡型表示装置の表示を変更することが可能な制御システムを提供する。【解決手段】制御システムは、産業機械を制御し、制御装置のそれぞれは、制御装置用表示部に表示される制御装置用画面を生成するとともに、制御装置用画面の内部状態の変化に基づいて、眼鏡型表示装置に表示する眼鏡用画面Ｂを生成する画面生成部を備え、眼鏡型表示装置は、着用者の眼の位置に対応して配置され、生成された眼鏡用画面を表示可能な透過型の眼鏡用表示部と、接続中の制御装置を特定する特定情報を取得する特定情報取得部と、眼鏡用表示部に、眼鏡用画面と特定情報とを表示させる表示制御部と、を備える。【選択図】図１
2020166040.tif 000002
【特許請求の範囲】
【請求項１】
それぞれが制御装置用表示部を有する複数の制御装置と、複数の前記制御装置のいずれかと組み合わされて接続される眼鏡型表示装置と、を備え、産業機械を制御する制御システムであって、
前記制御装置のそれぞれは、
前記制御装置用表示部に表示される制御装置用画面を生成するとともに、前記制御装置の内部状態の変化に基づいて、前記眼鏡型表示装置に表示する眼鏡用画面を生成する画面生成部を備え、
前記眼鏡型表示装置は、
着用者の眼の位置に対応して配置され、生成された前記眼鏡用画面を表示可能な透過型の眼鏡用表示部と、
組み合わされて接続中の前記制御装置を特定する特定情報を取得する特定情報取得部と、
前記眼鏡用表示部に、前記眼鏡用画面と前記特定情報とを表示させる表示制御部と、
を備える制御システム。
【請求項２】
前記特定情報取得部は、複数の前記制御装置が配置される工場のラインのマップと、前記制御装置を識別する識別情報と、前記制御装置を搭載した産業機械の機種名と、の少なくとも一つを含む特定情報を取得する請求項１に記載の制御システム。
【請求項３】
前記制御装置のそれぞれは、前記眼鏡型表示装置に前記制御装置用表示部の位置を特定させるための標識部をさらに備え、
前記眼鏡型表示装置は、前記眼鏡用表示部の外面に対向する位置を撮像する撮像部をさらに備え、
前記表示制御部は、前記撮像部により撮像された画像に含まれる前記標識部の位置に基づいて前記制御装置用表示部の位置を認識するとともに、前記眼鏡用表示部を透過する前記制御装置用表示部の表示領域に重ねて、前記眼鏡用画面を前記眼鏡用表示部に表示する請求項１又は２に記載の制御システム。
【請求項４】
前記画面生成部は、前記制御装置の状態に基づいて、前記制御装置の操作可否を含む前記眼鏡用画面を生成する請求項１から３のいずれかに記載の制御システム。
【請求項５】
前記画面生成部は、前記制御装置用画面としてダミーの画面を生成し、前記眼鏡用画面として前記制御装置を操作するための画面を生成する請求項１から４のいずれかに記載の制御システム。
【請求項６】
前記制御装置のそれぞれは、前記制御装置用表示部に重ねて配置されるタッチ式の入力部をさらに備える請求項１から５のいずれかに記載の制御システム。
【請求項７】
前記画面生成部は、不具合発生を知らせる前記制御装置用画面を生成するとともに、不具合に対する対応策を含む前記眼鏡用画面を生成する請求項１から６のいずれかに記載の制御システム。
【発明の詳細な説明】
【技術分野】
【０００１】
本発明は、産業機械を制御する制御システムに関する。
【背景技術】
【０００２】
従来より、加工処理を実施するための数値制御装置（ＣＮＣ、computerized numerical control）が組み込まれた、産業用ロボットや工作機械を含む産業機械が知られている。産業機械は、数値制御装置によって動作を制御される。産業機械の動作状態、設定状況等の状態情報は、数値制御装置から外部に出力されることがある。例えば、状態情報は、数値制御装置に配置される表示部に表示されることがある。
【０００３】
ところで、表示部に表示される状態情報には、関係者（管理者）以外に見せたくない情報（秘匿情報）が含まれる場合がある。そこで、関係者であるか否かが予め認証されるとともに、認証された場合に限り、表示部に秘匿情報を表示するアクセス管理手法が知られている。また、他の手法として、数値制御装置の表示部には秘匿情報を表示せずに、数値制御装置の設置場所から離れた位置に配置される外部の端末に、数値制御装置から秘匿情報を出力する手法が知られている。
【０００４】
しかしながら、アクセス管理手法では、秘匿情報が表示部に表示される点は変わらない。そのため、関係者以外の周囲の人にも見られてしまう可能性がある。これに対し、外部の端末に秘匿情報を出力する手法では、秘匿情報が周囲の人に見られる可能性は低くなる。一方で、関係者は、秘匿情報を見ながら数値制御装置を操作することができない。そのため、秘匿情報を確認しながら数値制御装置を操作することには手間がかかる。そこで、周囲の人に見られることなく、数値制御装置の設置位置で秘匿情報を確認することができるシステムが提案されている（例えば、特許文献１参照）。
【先行技術文献】
【特許文献】
【０００５】
【特許文献１】特開２０１４−２１９４４８号公報
【発明の概要】
【発明が解決しようとする課題】
【０００６】
特許文献１では、タブレット端末と、ヘッドマウントディスプレイ装置（眼鏡型表示装置）とが用いられる。タブレット端末には、非秘匿情報（秘匿情報ではない情報）が表示される。ヘッドマウントディスプレイ装置には、秘匿情報が表示される。ヘッドマウンドディスプレイ装置を用いてタブレット端末の画面が閲覧されることにより、非秘匿情報及び秘匿情報が重畳された状態になる。すなわち、タブレット端末に表示される非秘匿情報と、ヘッドマウントディスプレイに表示される秘匿情報との両方が重ね合わされる。これにより、非秘匿情報及び秘匿情報の両者の映像を合わせて閲覧することが可能になる。したがって、周囲の人に見られずに、タブレット端末の位置で秘匿情報を確認することができる。
【０００７】
例えば、工場に配置される複数の数値制御装置に適用する場合、数値制御装置ごとに制御する産業機械（機種）は異なる。また、同じ時刻における産業機械の状態も異なる。そこで、複数の数値制御装置のそれぞれに対して、組み合わされる眼鏡型表示装置の表示を変更することができれば好適である。この内容は、数値制御装置以外の制御装置にも当てはまる。
【課題を解決するための手段】
【０００８】
（１）本開示の一態様は、それぞれが制御装置用表示部を有する複数の制御装置と、複数の前記制御装置のいずれかと組み合わされて接続される眼鏡型表示装置と、を備え、産業機械を制御する制御システムであって、前記制御装置のそれぞれは、前記制御装置用表示部に表示される制御装置用画面を生成するとともに、前記制御装置用画面の内部状態の変化に基づいて、前記眼鏡型表示装置に表示する眼鏡用画面を生成する画面生成部を備え、前記眼鏡型表示装置は、着用者の眼の位置に対応して配置され、生成された前記眼鏡用画面を表示可能な透過型の眼鏡用表示部と、接続中の前記制御装置を特定する特定情報を取得する特定情報取得部と、前記眼鏡用表示部に、前記眼鏡用画面と前記特定情報とを表示させる表示制御部と、を備える制御システムに関する。
【発明の効果】
【０００９】
一態様によれば、複数の制御装置のそれぞれに対して、組み合わされる眼鏡型表示装置の表示を変更することが可能な、産業機械を制御する制御システムを提供することができる。
【図面の簡単な説明】
【００１０】
【図１】一実施形態に係る数値制御システムにおける複数の数値制御装置と、眼鏡型表示装置との関係を示す概略図である。
【図２】一実施形態の数値制御システムの制御装置用表示部を示す概略図である。
【図３】一実施形態の数値制御システムの数値制御装置を示すブロック図である。
【図４】一実施形態の数値制御システムの制御装置用画面を示す画面図である。
【図５】一実施形態の数値制御システムの制御装置用画面に重ねられた眼鏡用画面を示す画面図である。
【図６】一実施形態の数値制御システムの眼鏡型表示装置を示す概略正面図である。
【図７】一実施形態の数値制御システムの眼鏡型表示装置を示すブロック図である。
【図８】一実施形態の数値制御システムの状態遷移を示す状態遷移図である。
【図９】一実施形態の数値制御システムの制御装置用画面に重ねられた眼鏡用画面を示す画面図である。
【発明を実施するための形態】
【００１１】
以下、本開示の一実施形態に係る数値制御システム１について、図１から図９を参照して説明する。一実施形態に係る数値制御システム１は、本発明の制御システムの一例であり、数値制御装置１０は、本発明の制御システムが備える制御装置の一例である。
本実施形態に係る数値制御システム１は、複数の産業機械１００の設置された工場内に提供される。複数の産業機械１００のそれぞれには、数値制御装置１０が組み込まれる。複数の数値制御システム１のそれぞれは、図１及び図２に示すように、制御装置用表示部１１を有する複数の数値制御装置１０と、複数の数値制御装置１０のいずれかと組み合わされて接続される眼鏡型表示装置３０と、を備える。
産業機械は、工作機械、産業用ロボット、その他の機械（サービス用ロボット、鍛圧機械、射出成形機といった様々な機械を含む）を含む。
【００１２】
複数の数値制御装置１０のそれぞれは、組み込み先の産業機械１００の動作を制御する装置である。複数の数値制御装置１０のそれぞれは、例えば、工場内において、組み込み先の産業機械１００に搭載される。複数の数値制御装置１０のそれぞれは、図２及び図３に示すように、制御装置側送受信部１２と、非秘匿情報格納部１３と、秘匿情報格納部１４と、状況情報取得部１５と、画面生成部１６と、制御装置用表示部１１と、入力部１７と、標識部１８と、特定情報格納部１９と、接続部２０と、を備える。
【００１３】
制御装置側送受信部１２は、例えば、通信用デバイスである。制御装置側送受信部１２は、組み合わされた眼鏡型表示装置３０との間でセッションを確立可能に構成される。また、制御装置側送受信部１２は、組み合わされた眼鏡型表示装置３０との間でデータを送受信する。
【００１４】
非秘匿情報格納部１３は、例えば、ハードディスク等の二次記憶媒体である。非秘匿情報格納部１３は、例えば、誰もが閲覧可能情報である非秘匿情報を格納する。すなわち、非秘匿情報格納部１３は、制御装置用表示部１１に表示可能な非秘匿情報を格納する。
【００１５】
秘匿情報格納部１４は、例えば、ハードディスク等の二次記憶媒体である。秘匿情報格納部１４は、例えば、関係者（管理者）のみが閲覧可能な情報である秘匿情報を格納する。すなわち、秘匿情報格納部１４は、眼鏡型表示装置３０にのみ表示可能な秘匿情報を格納する。本実施形態において、秘匿情報格納部１４は、非秘匿情報格納部１３に格納されている非秘匿情報に紐づけられた秘匿情報を格納する。すなわち、秘匿情報格納部１４は、非秘匿情報格納部１３に格納されている非秘匿情報に対応付けされた秘匿情報を格納する。
【００１６】
状況情報取得部１５は、例えば、ＣＰＵが動作することで実現される。状況情報取得部１５は、例えは、組み込み先の産業機械１００の動作状態（操作の可否）を取得する。また、状況情報取得部１５は、例えば、産業機械１００について、進行中の加工状況を示す加工状態、動作中か否かを示す動作状態、どのような操作が行われているか、数値を設定するための設定画面が呼び出されているか否か、不具合発生中か否か等を状況情報として取得する。
【００１７】
画面生成部１６は、例えば、ＣＰＵが動作することで実現される。画面生成部１６は、例えば、図４に示すような、制御装置用表示部１１に表示される制御装置用画面Ａを生成するとともに、数値制御装置１０の内部状態の変化に基づいて、図５に示すような、眼鏡型表示装置３０に表示する眼鏡用画面Ｂを生成する。ここで、「数値制御装置１０の内部状態の変化」は、例えばエラー状態や動作状況の変化等を含む。画面生成部１６は、例えば、状況情報取得部１５によって取得された状況情報に基づいて、制御装置用画面Ａを生成する。具体的には、画面生成部１６は、取得された状況情報に基づいて、非秘匿情報格納部１３から、対応する非秘匿情報を読み出す。画面生成部１６は、非秘匿情報から制御装置用画面Ａを生成する。画面生成部１６は、例えば、制御装置用画面Ａとして、数値制御装置１０の状態とは関係のないダミー画面を表示する。そして、画面生成部１６は、取得された状況情報が変化すると、変化後の状況情報に基づいて制御装置用画面Ａを生成する。
【００１８】
画面生成部１６は、例えば、取得された状況情報に基づいて、眼鏡型表示装置３０に表示する眼鏡用画面Ｂを生成する。具体的には、画面生成部１６は、取得された状況情報に基づいて、秘匿情報格納部１４から、対応する秘匿情報を読み出す。画面生成部１６は、秘匿情報から眼鏡用画面Ｂを生成する。また、制御装置用画面Ａが変化すると、画面生成部１６は、変化後の制御装置用画面Ａに用いられた非秘匿情報に対応する秘匿情報を秘匿情報格納部１４から取得する。画面生成部１６は、取得した秘匿情報を用いて眼鏡用画面Ｂを生成する。本実施形態では、画面生成部１６は、例えば、変化した状態情報と、変化した制御装置用画面Ａとに基づいて眼鏡用画面Ｂを生成する。具体的には、画面生成部１６は、変化した制御装置用画面Ａに用いられた非秘匿情報に対応する複数の秘匿情報のうち、取得された状態情報に応じて選択された秘匿情報を用いて眼鏡用画面Ｂを生成する。画面生成部１６は、例えば、制御装置用画面Ａとしてダミー画面を生成するとともに、眼鏡用画面Ｂとして数値制御装置１０を操作するための画面を生成する。また、画面生成部１６は、数値制御装置１０の状態情報に基づいて、数値制御装置１０の操作可否を含む眼鏡用画面Ｂを生成する。また、後述する入力部１７への入力があった場合、画面生成部１６は、入力を反映した制御装置用画面Ａ及び眼鏡用画面Ｂを生成する。
【００１９】
尚、眼鏡用画面Ｂの生成は、画面生成部１６ではなく、表示制御部３３で行われる場合もある。この場合、画面生成部１６は眼鏡用画面Ｂの生成に必要な情報を出力する。これにより、数値制御装置１０に格納されているソフトウェアについて、眼鏡型表示装置３０に合わせて変更（更新）しなくても、眼鏡型表示装置３０に所望の画面（眼鏡用画面Ｂ）を表示させることができる。すなわち、眼鏡型表示装置３０に格納されているソフトウェアを変更（更新）することで、所望の画面（眼鏡用画面Ｂ）を表示させることができる。これにより、数値制御装置１０の動作に与える影響を抑制しつつ、眼鏡型表示装置３０に表示させる画面を変更することができる。
【００２０】
制御装置用表示部１１は、例えば、モニタ等の表示装置である。制御装置用表示部１１は、図２に示すように、画面生成部１６によって生成された制御装置用画面Ａを表示可能に構成される。
【００２１】
入力部１７は、例えば、キーボード等の入力装置である。入力部１７は、図２に示すように、制御装置用表示部１１に並置される。
【００２２】
標識部１８は、例えば、制御装置用表示部１１に示される目印である。標識部１８は、眼鏡型表示装置３０に数値制御装置１０の制御装置用表示部１１の位置を特定させるためのものである。本実施形態において、標識部１８は、制御装置用表示部１１に表示される目印として構成される。標識部１８は、例えば、制御装置用表示部１１の角部の位置に表示される。
【００２３】
特定情報格納部１９は、例えば、ハードディスク等の二次記憶媒体である。特定情報格納部１９は、複数の数値制御装置１０が配置される工場のラインのマップと、数値制御装置１０を識別する識別情報と、数値制御装置１０を搭載した産業機械１００の機種名と、の少なくとも一つを含む特定情報を格納する。
尚、工場のラインのマップと、数値制御装置１０を識別する識別情報と、数値制御装置１０を搭載した産業機械１００の機種名の少なくとも一つが、数値制御装置１０ではなく、上位のサーバ（図示せず）に格納される場合もある。
【００２４】
接続部２０は、例えば、ＣＰＵが動作することにより実現される。接続部２０は、工場内に配置されている眼鏡型表示装置３０とセッションを確立する。接続部２０は、例えば、工場内に配置されている眼鏡型表示装置３０に対して接続を要求することで、眼鏡型表示装置３０との間でセッションを確立する。また、接続部２０は、特定情報格納部１９から特定情報を読み出して、眼鏡型表示装置３０に提供可能に構成される。
【００２５】
眼鏡型表示装置３０は、図６及び図７に示すように、数値制御装置１０を管理する関係者（以下、着用者ともいう）によって着用される眼鏡型デバイス（ＡＲグラス、ＡＲヘッドセット、ＡＲバイザーともいう）である。眼鏡型表示装置３０は、複数の数値制御装置１０のいずれかに組み合わされてＡＲ機能を実現する。眼鏡型表示装置３０は、例えば、一つの数値制御装置１０に対応付けられて接続される。眼鏡型表示装置３０は、眼鏡側送受信部３１と、眼鏡用表示部３２と、表示制御部３３と、撮像部３４と、を備える。
【００２６】
眼鏡側送受信部３１は、例えば、通信用モジュールである。眼鏡側送受信部３１は、セッションを確立した数値制御装置１０との間でデータを送受信する。
【００２７】
眼鏡用表示部３２は、着用者の眼の位置に対応して配置され、生成された眼鏡用画面Ｂを表示可能な透過型のレンズデバイスである。眼鏡用表示部３２は、例えば、着用者の眼に合わせて一対に設けられる。眼鏡用表示部３２は、透過した像に表示する画像を重ねて着用者に表示する。
【００２８】
撮像部３４は、例えば、レンズ等の画像取得装置である。撮像部３４は、眼鏡用表示部３２の外面に対向する位置を撮像する。
【００２９】
表示制御部３３は、例えば、ＣＰＵが動作することにより実現される。また、表示制御部３３は、眼鏡用表示部３２に、眼鏡用画面Ｂと特定情報とを表示させる。表示制御部３３は、例えば、眼鏡用表示部３２に、セッション確立中の数値制御装置１０によって生成された眼鏡用画面Ｂを表示するとともに、表示している眼鏡用画面Ｂに対応する数値制御装置１０の機種の情報（特定情報）を表示する。また、表示制御部３３は、例えば、眼鏡用表示部３２に、工場のマップと、マップにおける数値制御装置１０を識別する情報を表示する。
【００３０】
また、表示制御部３３は、撮像部３４により撮像された画像に含まれる標識部１８の位置に基づいて制御装置用表示部１１の位置を認識する。そして、表示制御部３３は、制御装置用表示部１１の表示領域に重ねて、眼鏡用画面Ｂを眼鏡用表示部３２に表示する。表示制御部３３は、例えば、制御装置用表示部１１の４つの角に配置される標識部１８の位置から、制御装置用表示部１１の表示領域を認識する。表示制御部３３は、認識した表示領域に眼鏡用画面Ｂを重ねて表示する。すなわち、表示制御部３３は、眼鏡用表示部３２を透過する像のうち、制御装置用表示部１１の表示領域に眼鏡用画面Ｂを重ねて表示する。
【００３１】
表示制御部３３は、産業機械１００にシステムアラームが発生した場合に、例えば、図４に示すような、数値を羅列した制御装置用画面Ａを生成する。これに加え、表示制御部３３は、例えば、図５に示すような、対応策を示した眼鏡用画面Ｂを生成する。また、表示制御部３３は、産業機械１００の動作が次の工程に移った場合に、動作中の工程において設定されている値を含む眼鏡用画面Ｂを生成する。また、表示制御部３３は、入力部１７からの入力をトリガとして、入力結果を反映した眼鏡用画面Ｂを生成する。
【００３２】
次に、数値制御システム１の動作について、図８を用いて説明する。
まず、数値制御装置１０は、工場内に存在する眼鏡型表示装置３０に対してセッションの確立を要求する（ステップＳ１）。具体的には、接続部２０は、眼鏡型表示装置３０に対してセッションの確立を要求する。眼鏡型表示装置３０は、要求を受けてセッションを確立する（ステップＳ２）。具体的には、表示制御部３３は、要求を受けて数値制御装置１０とのセッションを確立する。
【００３３】
次いで、状況情報取得部１５は、状況情報を取得する（ステップＳ３）。画面生成部１６は、取得された状況情報に基づいて、非秘匿情報及び秘匿情報を取得して、制御装置用画面Ａと、眼鏡用画面Ｂとを生成する（ステップＳ４）。画面生成部１６は、例えば、システムアラーム（不具合）が発生した場合に、図４に示すような制御装置用画面Ａと、図５に示すような、眼鏡用画面Ｂとを生成する。また、画面生成部１６は、例えば、システムアラーム（不具合）が発生した場合に、図９に示すようなアラームメッセージを含む制御装置用画面Ａと、アラーム詳細画面を含む眼鏡用画面Ｂとを生成する。すなわち、画面生成部１６は、アラームメッセージのみを表示する制御装置用画面Ａと、アラームメッセージに対応する詳細を示す眼鏡用画面Ｂとを生成する。
【００３４】
次いで、画面生成部１６は、制御装置用画面Ａを制御装置用表示部１１に表示する。また、画面生成部１６は眼鏡用画面Ｂを眼鏡型表示装置３０に送信する（ステップＳ５）。また、接続部２０は、特定情報を眼鏡型表示装置３０に送信する。
【００３５】
表示制御部３３は、撮像部３４によって撮像された画像に含まれる標識部１８を認識する（ステップＳ６）。表示制御部３３は、認識した標識部１８の位置に基づいて、制御装置用表示部１１の表示領域に重ねて、眼鏡用表示部３２に眼鏡用画面Ｂを表示する（ステップＳ７）。このとき、表示制御部３３は、眼鏡用表示部３２に、眼鏡用画面Ｂとともに取得した特定情報を表示する。
【００３６】
次いで、表示制御部３３は、制御装置用画面Ａの変化に基づいて、変化した眼鏡用画面Ｂを生成する（ステップＳ８）。表示制御部３３は、生成した眼鏡用画面Ｂを眼鏡型表示装置３０に送る。表示制御部３３は、送られた眼鏡用画面Ｂを眼鏡用表示部３２に表示する（ステップＳ９）。
【００３７】
数値制御装置１０が着用者からの入力を受け付ける場合、入力部１７は、着用者からの入力を受け付ける。画面生成部１６は、入力部１７への入力を反映した制御装置用画面Ａ及び眼鏡用画面Ｂを生成する。
【００３８】
以上の本実施形態に係る数値制御システム１によれば、以下の効果を奏する。
（１）それぞれが制御装置用表示部１１を有する複数の数値制御装置１０と、複数の数値制御装置１０のいずれかと組み合わされて接続される眼鏡型表示装置３０と、を備える数値制御システム１であって、数値制御装置１０のそれぞれは、制御装置用表示部１１に表示される制御装置用画面Ａを生成するとともに、数値制御装置１０の内部状態の変化に基づいて、眼鏡型表示装置３０に表示する眼鏡用画面Ｂを生成する画面生成部１６を備え、眼鏡型表示装置３０は、着用者の眼の位置に対応して配置され、生成された眼鏡用画面Ｂを表示可能な透過型の眼鏡用表示部３２と、接続中の数値制御装置１０を特定する特定情報を取得する特定情報取得部２１と、眼鏡用表示部３２に、眼鏡用画面Ｂと特定情報とを表示させる表示制御部３３と、を備える。これにより、特定されている数値制御装置１０と、当該数値制御装置１０に対応する眼鏡用画面Ｂとを対応させて表示することができる。したがって、複数の数値制御装置１０のそれぞれに応じて、眼鏡型表示装置３０の表示を変更することができる。
【００３９】
（２）特定情報取得部２１は、複数の数値制御装置１０が配置される工場のラインのマップと、数値制御装置１０を識別する識別情報と、数値制御装置１０を搭載した産業機械の機種名と、の少なくとも一つを含む特定情報を取得することができる。したがって、眼鏡用画面Ｂに対応する数値制御装置１０を容易に特定することができる。
【００４０】
（３）数値制御装置１０のそれぞれは、眼鏡型表示装置３０に制御装置用表示部１１の位置を特定させるための標識部１８をさらに備え、眼鏡型表示装置は、眼鏡用表示部３２の外面に対向する位置を撮像する撮像部３４をさらに備え、表示制御部３３は、撮像部３４により撮像された画像に含まれる標識部１８の位置に基づいて制御装置用表示部１１の位置を認識するとともに、制御装置用表示部１１の表示領域に重ねて、眼鏡用画面Ｂを眼鏡用表示部３２に表示する。これにより、制御装置用画面Ａの表示を確認しつつ、眼鏡用画面Ｂを確認することができるので、数値制御装置１０の管理をより容易にすることができる。
【００４１】
（４）画面生成部１６は、数値制御装置１０の状態に基づいて、数値制御装置１０の操作可否を含む眼鏡用画面Ｂを生成する。これにより、数値制御装置１０への入力の要否を容易に判断でき、操作不可状態で入力が行われることを抑制することができる。
【００４２】
（５）画面生成部１６は、制御装置用画面Ａとしてダミーの画面を生成し、眼鏡用画面Ｂとして数値制御装置１０を操作するための画面を生成する。これにより、閲覧されたとしても影響の少ない情報を制御装置用画面Ａに表示しつつ、眼鏡用画面Ｂを用いて適切な操作を行うことができる。
【００４３】
（６）画面生成部１６は、不具合発生を知らせる制御装置用画面Ａを生成するとともに、不具合に対する対応策を含む眼鏡用画面Ｂを生成する。これにより、不具合が発生したとしても、迅速に対応することができる。
【００４４】
以上、本開示の制御システムの好ましい一実施形態につき説明したが、本開示は、上述の実施形態に制限されるものではなく、適宜変更が可能である。
例えば、上記実施形態において、入力部１７は、制御装置用表示部１１の画面に重ねて配置されてもよい。例えば、数値制御装置１０のそれぞれは、制御装置用表示部１１に重ねて配置されるタッチ式の入力部１７を備えてもよい。
【００４５】
また、上記実施形態において、複数の数値制御装置１０のそれぞれは、工場内に配置される全ての眼鏡型表示装置３０にセッションの確立を要求したが、これに制限されない。例えば、複数の数値制御装置１０のそれぞれは、工場内に配置される眼鏡型表示装置３０の一部にセッションの確立を要求してもよい。すなわち、眼鏡型表示装置３０ごとに、眼鏡用画面Ｂの受信可能な数値制御装置１０を予め設定してもよい。
【００４６】
また、上記実施形態において、標識部１８は、制御装置用画面Ａに含まれてもよい。標識部１８は、例えば、画面生成部１６によって制御装置用画面Ａの内部に生成されてもよい。
【００４７】
また、上記実施形態において、表示制御部３３は、標識部１８に含まれる固有情報を用いて眼鏡用表示部３２に表示する、これに制限されない。例えば、数値制御装置１０の識別（眼鏡型表示装置３０に表示する眼鏡用画面Ｂの識別）は、数値制御装置１０の位置と、眼鏡型表示装置３０の位置とに基づいて行われてもよい。
【００４８】
また、上記実施形態において、数値制御システム１は、複数の数値制御装置１０と、眼鏡型表示装置３０との間に介在するサーバ（図示せず）をさらに備えてもよい。サーバは、複数の数値制御装置１０のそれぞれから送信される眼鏡用画像を格納してもよい。また、サーバは、数値制御装置１０及び眼鏡型表示装置３０の間のセッションを管理してもよい。サーバは、例えば、眼鏡型表示装置３０にたいして、セッションが確立している数値制御装置１０の眼鏡用画面を送ってもよい。
制御装置は、数値制御装置以外の制御装置であってもよい。
【符号の説明】
【００４９】
１  数値制御システム（制御システム）
１０  数値制御装置（制御装置）
１１  制御装置用表示部
１６  画面生成部
１７  入力部
１８  標識部
３０  眼鏡型表示装置
３２  眼鏡用表示部
３３  表示制御部
３４  撮像部
１００  産業機械
Ａ  制御装置用画面
Ｂ  眼鏡用画面
【図１】
2020166040.tif 000003
【図２】
2020166040.tif 000004
【図３】
2020166040.tif 000005
【図４】
2020166040.tif 000006
【図５】
2020166040.tif 000007
【図６】
2020166040.tif 000008
【図７】
2020166040.tif 000009
【図８】
2020166040.tif 000010
【図９】
2020166040.tif 000011